(57)【要約】【課題】  全体重量の軽量化やコスト削減が図られ、かつ高い保温性が得られると共に、磁気治療効果による血行促進及び疲労回復効果も兼ね備える保温装置を提供する。【解決手段】  衣類や寝具類に装備される保温装置１において、電源１０と、電源１０に接続された電熱線２０と、電熱線２０の温度を設定するコントローラ２２と、電熱線２０およびコントローラ２２を保持するシート基材３０と、シート基材３０に着脱自在に設置された永久磁石４０とを備えることを特徴とする。前記電源１０は充電式乾電池１１である。また、前記シート基材３０に、電源１０の入切を行うホック１３を設けたり、備長炭を粉砕してなる備長炭微粒子を繊維に埋入して形成したりすることが好ましい。さらに、前記保温装置１をベスト２、肩当具３、腰用ベルト４、首当具５、足用枕６、腰用枕７、スリッパ８のいずれかに装備してもよい。【選択図】    図１
2005130908.tif 000002
【特許請求の範囲】
【請求項１】
衣類や寝具類に装備される保温装置において、電源と、電源に接続された電熱線と、電熱線の温度を設定するコントローラと、電熱線およびコントローラを保持するシート基材と、シート基材に着脱自在に設置された永久磁石とを備えることを特徴とする保温装置。
【請求項２】
前記電源が充電式乾電池である請求項１記載の保温装置。
【請求項３】
前記シート基材に、電源の入切を行うホックを設けた請求項１または２記載の保温装置。
【請求項４】
前記シート基材が、備長炭を粉砕してなる備長炭微粒子を繊維に埋入して形成された請求項１〜３のうちいずれか一項記載の保温装置。
【請求項５】
前記保温装置をベスト、肩当具、腰用ベルト、首当具、足用枕、腰用枕、スリッパのいずれかに装備した請求項１〜４のうちいずれか一項記載の保温装置。
【発明の詳細な説明】
【技術分野】
【０００１】
本発明は、衣類や寝具類に装備される保温装置に関し、特には、経済性や保温効果が高く、さらに磁気治療効果と臭消特性を兼ね備えることができる保温装置に関する。
【背景技術】
【０００２】
従来より、人体の広い範囲を均等に保温し、保温温度を簡単に制御し、保温期間を所望の通りに選択可能にする保温衣服がある（例えば、特許文献１参照。）。
【特許文献１】特開平９−１１１５１５号公報（第１−２頁、図１、図２）
【発明の開示】
【発明が解決しようとする課題】
【０００３】
しかし、上掲特許文献１の保温衣服内に取り付けられた発熱装置は、電熱線を耐熱材で被覆した湾曲可能な面状または線状のヒータを複数連結して形成しているため、全体の重量やコストが嵩み、実用面や経済性に欠けるという問題があった。また、保温効果以外の付加価値が得られないという欠点もあった。
【０００４】
そこで本発明は上記の点に鑑み、全体重量の軽量化やコスト削減が図られ、かつ高い保温性が得られると共に、磁気治療効果による血行促進及び疲労回復効果も兼ね備える保温装置を提供することを目的とする。
【課題を解決するための手段】
【０００５】
上記課題を有利に解決するための本発明の保温装置は、衣類や寝具類に装備される保温装置であって、かかる保温装置は、電源と、電源に接続された電熱線と、電熱線の温度を設定するコントローラと、電熱線およびコントローラを保持するシート基材と、シート基材に着脱自在に設置された永久磁石とを備えることを特徴とする。
【０００６】
本発明においては前記電源を充電式電池とすることが好ましく、また、前記シート基材に、電源の入切を行うホックを設けることが好ましい。さらに、前記シート基材は、備長炭を粉砕してなる備長炭微粒子を繊維に埋入して形成されることが好ましい。
【０００７】
また、前記保温装置をベスト、肩当具、腰用ベルト、首当具、足用枕、腰用枕、スリッパに装備して好適に使用することができる。
【発明の効果】
【０００８】
本発明の保温装置は、充電式乾電池を電源として使用することができるため、電池の交換が容易で経済性も高い。また、電源、電熱線、コントローラ、シート基材の必要最小限の装置機器により形成されているため、コスト削減ができ、軽量で実用面でも優れる。さらに、永久磁石を設置したことにより、磁気治療効果による血行の促進と疲労回復効果が得られる。さらにまた、前記シート基材を、電源の入切を行うホックを設けたことにより、操作上の利便性が高まる。さらにまた、前記シート基材を、備長炭を粉砕してなる備長炭微粒子を繊維に埋入して形成した場合には、備長炭による防湿、防虫、消臭効果が得られる。
【０００９】
また、前記保温装置をベスト、肩当具、腰用ベルト、首当具、足用枕、腰用枕、スリッパに装備して使用することにより、用途の目的に応じた使用が可能となる。
【発明を実施するための最良の形態】
【００１０】
本発明の保温装置の実施の形態を図面に基づいて説明する。
図示する本発明の一好適例の保温装置１は、衣類や寝具類に装備されるもので、かかる保温装置１は、複数の充電式乾電池１１を直列状態に接続した電源１０と、電源１０に接続された電熱線２０と、電熱線２０の温度を設定するコントローラ２２と、電熱線２０およびコントローラ２２を保持するシート基材３０と、シート基材３０に着脱自在に設置された永久磁石４０とを備えている。
【００１１】
電源１０は、市販の充電式乾電池（単三電池）１１を複数個、直列状態に接続して形成することが好ましく、図１においては３個の充電式乾電池が、夫々２個の容器１２内に収容されている。電源１０として市販の充電式乾電池１１を用いることで、容易に購入や交換ができると共に、経済効率や利便性を高めることができる。なお、電源１０は充電式乾電池１１の数量や電流・電圧は状況に応じて適宜調整することが好ましい。
【００１２】
容器１２からは絶縁電線２１を介して電熱線２０が接続されている。電熱線２０は、好適にはカーボンヒーター線のような電気抵抗の高い素材が用いられ、人体の保温を必要とする要部、例えば両肩や背中部分にあたる箇所に配設されている。
【００１３】
また、電源１０と電熱線２０との間には、コントローラ２２が設けられている。コントローラ２２は電熱線２０の温度を制御するもので、例えば、３８℃でオン、４２℃でオフに設定することにより、快適な温度を維持すると共に、電力の節約も可能となる。
【００１４】
シート基材３０は、軽量で緩衝性があり、洗濯可能な織布、または不織布にて形成されている。また、シート基材３０は、電熱線２０やコントローラ２２の下面に、または上下面に配置されている。さらに、シート基材３０は、衣服や寝具等に縫着、接着、またはファスナーにて装備される。
【００１５】
また、シート基材３０には永久磁石４０が着脱自在に設置されている。永久磁石４０は、好ましくは７５０〜８５０ガウス程度の磁力を有するもので、基材４１上に複数配列されている。永久磁石４０は、磁気による治療効果が広く知られているが、人体に使用した場合、血行促進や疲労回復による健康促進の効果が得られる。また、基材４１の裏面には面ファスナー等の接着具（図示せず）が設置されており、磁気効果を施す任意の箇所に着脱自在に装着させることができる。  
【００１６】
他の好適例として、シート基材３０に、電源１０の入切を行うホック１３を設けることが好ましい。かかるホック１３は、凸片１４の先端部分に設置されており、互いのホック１３を掛け合わせることで電源１０の入切を容易に行うことができる。そのため、例えば、図２及び図３に示すように、保温装置１を衣類に装備させた場合、ホック１３を掛けて前身頃を保持することで、自動的に電源が入力でき利便性が高まる。
【００１７】
また、他の好適例として、シート基材３０を、備長炭を粉砕してなる備長炭微粒子を繊維に埋入して形成することが好ましい。備長炭微粒子を繊維に埋入する製造方法の好適例としては、多数の備長炭微粒子が分散されてなる水分散液を、ビスコースに添加混合した後、紡糸する技術が知られている。例えば、この製造方法は、特開２００１−９８４１２号公報に記載されている。かかるシート基材３０を保温装置１に採用することにより、使用中に備長炭による防湿、防虫、消臭効果が得られる。
【００１８】
また、図２に示すように、本発明の保温装置１を防寒用のベスト２に装備することが好ましい。この場合、ベスト２の裏地にシート基材３０を装着させ、保温を必要とする背中や両肩部分に電熱線２０を配設させる。また、永久磁石４０を磁気効果を施す箇所、例えば人体の背中部分に設置する。また、電源１０の容器１２を、例えばベスト２のポケット内に収容させる。そしてホック１３を掛けて電熱線２０を発熱させる。
【００１９】
これにより、冬期の屋外での作業や釣り等のレジャーにおいても、本発明の保温装置１を装備すれば快適な保温状態を確保することができる。また、永久磁石４０の磁気効果により血行促進効果が得られ、さらにはシート基材３０の繊維に備長炭微粒子を埋入することにより防湿、防虫、消臭効果も得られる。
【００２０】
さらに、図３に示すように、本発明の保温装置１を、肩当具３内に装備することが好ましい。この場合、特に保温を必要とする箇所、例えば、両肩部分と背中上部に電熱線２０を配設することにより、効率よい保温効果が得られる。また、首筋付近に永久磁石４０を設置することで、首筋の血行促進効果が得られる。
【００２１】
さらにまた、図４に示すように、本発明の保温装置１を、腰痛保護用の腰用ベルト４に装備することが好ましい。この場合、腰部の保温を必要とする箇所に電熱線２０が配設する。また、背骨付近には永久磁石４０を設置する。ベルト４の一部に電源１０を収容させるポケット（図示せず）等を設けてもよい。本発明の保温装置１を装備した腰用ベルト４を装着することにより、腰部の保温と血行促進の効果が得られる。
【００２２】
さらにまた、図５に示すように、本発明の保温装置１を、首当具５に装備することが好ましい。この場合、首部の保温を必要とする箇所に電熱線２０を配設する。また、首周辺には永久磁石４０を設置する。本発明の保温装置１を具備した首当具５を装着することにより、首周辺の保温と首筋の血行促進効果が得られる。
【００２３】
さらにまた、図６に示すように、本発明の保温装置１を、寝具である足用枕６の上面に装備することが好ましい。この場合、足が載置される窪み部分に電熱線２０を配設する。また、電熱線２０付近には永久磁石４０を設置する。本発明の保温装置１を具備した足用枕６を横臥時に使用することにより、足の保温と血行促進の効果が得られ快適な安眠が実現できる。
【００２４】
さらにまた、図７に示すように、本発明の保温装置１を、寝具である腰用枕７の上面に装備することが好ましい。この場合、腰が載置される箇所に電熱線２０を配設する。また、背骨付近には永久磁石４０が設置されている。本発明の保温装置１を装備した腰用枕７を横臥時に使用することにより、腰の保温と血行促進の効果が得られる。
【００２５】
さらにまた、図８に示すように、本発明の保温装置１を、スリッパ８内に装備することが好ましい。この場合、足の周囲及び先端部分に電熱線２０を配設する。また、土踏まず部分には永久磁石４０を設置する。本発明の保温装置１をスリッパ８に装備することで、足先の冷えを解消できる。
【図面の簡単な説明】
【００２６】
【図１】本発明の保温装置の全体図である。
【図２】本発明の保温装置をベストに装備した状態の正面図である。
【図３】本発明の保温装置を肩当具に装備した状態の正面図である。
【図４】本発明の保温装置を腰用ベルトに装備した状態の正面図である。
【図５】本発明の保温装置を首当具に装備した状態の正面図である。
【図６】本発明の保温装置を足用枕の上面に装備した状態の全体斜視図である。
【図７】本発明の保温装置を腰用枕の上面に装備した状態の全体斜視図である。
【図８】本発明の保温装置をスリッパに装備した状態の全体斜視図である。
【符号の説明】
【００２７】
１  保温装置
２  ベスト
３  肩当具
４  腰用ベルト
５  首当具
６  足用枕
７  腰用枕
８  スリッパ
１０  電源
１１  充電式乾電池
１２  容器  
１３  ホック
１４  凸片
２０  電熱線
２１  絶縁電線
２２  コントローラ
３０  シート基材
４０  永久磁石
４１  基材
【図１】
2005130908.tif 000003
【図２】
2005130908.tif 000004
【図３】
2005130908.tif 000005
【図４】
2005130908.tif 000006
【図５】
2005130908.tif 000007
【図６】
2005130908.tif 000008
【図７】
2005130908.tif 000009
【図８】
2005130908.tif 000010